(57)【特許請求の範囲】
【請求項１】
基板の長手方向に連続する凹溝を前記基板の少なくとも一方の短手方向の端部に有する建築板であって、
前記凹溝はその溝幅が長手方向の一部で拡縮されて形成され、正面視で該凹溝の溝幅が異なる境界部の角部が略直角をなし、
前記凹溝の長手方向に略連続する複数本の細線のそれぞれが全長にわたって略一定幅で形成されており、
前記複数の細線は、色彩が不均一でありかつ少なくとも１本以上が濃暗色である
ことを特徴とする建築板。
【請求項２】
前記凹溝が複数形成されていることを特徴とする請求項１に記載の建築板。
【請求項３】
前記基板全体に前記細線が形成されていることを特徴とする請求項１又は２に記載の建築板。
【請求項４】
前記基板の一方の短手方向の端部に設けた凹溝に複数本の前記細線が形成されていることを特徴とする請求項１乃至３のいずれか一項に記載の建築板。
【発明の詳細な説明】
【技術分野】
【０００１】
本発明は、家屋の外装材などとして用いられる建築板に関するものである。
【背景技術】
【０００２】
従来より、基板の表面に凹凸模様を形成し、この表面にインクジェット塗装などで印刷して着色することにより建築板を形成することが行われている（例えば、特許文献１参照）。また、長手方向に通し目地を有する建築板において、隣接する建築板の通し目地の位置ずれによる違和感を低減することも行われている（例えば、特許文献２参照）。
【先行技術文献】
【特許文献】
【０００３】
【特許文献１】特開２００７−１７００１４号公報
【特許文献２】特開２００３−１８４２６２号公報
【発明の概要】
【発明が解決しようとする課題】
【０００４】
しかし、特許文献２に記載の発明では、隣接する建築板の突き合わせ部分を目立たないようにすることは難しかった。
【０００５】
本発明は上記の点に鑑みてなされたものであり、隣接する建築板の突き合わせ部分を目立たないようにすることができる建築板を提供することを目的とするものである。
【課題を解決するための手段】
【０００６】
本発明に係る建築板は、基板の長手方向に連続する凹溝を前記基板の少なくとも一方の短手方向の端部に有する建築板であって、前記凹溝はその溝幅が長手方向の一部で拡縮されて形成され、正面視で該凹溝の溝幅が異なる境界部の角部が略直角をなし、前記凹溝の長手方向に略連続する複数本の細線のそれぞれが全長にわたって略一定幅で形成されており、前記複数の細線は、色彩が不均一でありかつ少なくとも１本以上が濃暗色であることを特徴とするものである。
【０００７】
本発明にあっては、前記凹溝が複数形成されていることが好ましい。
【０００８】
本発明にあっては、前記基板全体に前記細線が形成されていることが好ましい。
【０００９】
本発明にあっては、前記基板の一方の短手方向の端部に設けた凹溝に複数本の前記細線が形成されていることが好ましい。
【発明の効果】
【００１０】
本発明は、凹溝その溝幅が長手方向の一部で拡縮されて形成されて、正面視で該凹溝の溝幅が異なる境界部の角部が略直角をなしているので、凹溝の長手端縁部の位置が不明確になり、また、凹溝の長手方向に略連続する細線が全長にわたって略一定幅で形成されているので、細線の長手方向と隣接する建築板の突き合わせ部分とが略平行に形成されることになり、突き合わせ部分が凹溝の短手方向の端部及び細線と区別しにくくなって目立たないようにすることができるものである。
【図面の簡単な説明】
【００１１】
【図１】本発明の実施の形態の一例を示す一部を拡大した正面図である。
【図２】同上の（ａ）は正面図、（ｂ）は断面図である。
【図３】同上の一部を示す写真である。
【図４】本発明の他の実施の形態の一例を示す正面図である。
【発明を実施するための形態】
【００１２】
以下、本発明を実施するための形態を説明する。
【００１３】
本実施形態の建築板Ａは、図２に示すように、基板１の表面に基板１の長手方向と略平行な方向に長い凹溝２を有して形成されている。基板１は従来から建材として用いられているものであれば、特に限定なく用いることができる。基板１は、例えば、セメント硬化物で形成される窯業系基板、合板などの木質系基板、ステンレス鋼板などの金属系基板などを挙げることができる。基板１は正面視において略長方形に形成されている。
【００１４】
凹溝２は基板１の表面に凹設されている。また、凹溝２は基板１の長手方向と略平行に略全長にわたって形成されている。凹溝２は基板１の長手方向と直交する方向に並ぶようにして複数本設けることができる。この場合、凹溝２は、基板１の少なくとも一方の長手端部１ａに沿って設けることができる。また、隣り合う凹溝２、２の間は凸条３として形成されている。従って、基板１の表面には、基板１の長手方向と直交する方向において、凹溝２と凸条３とが交互に並設されている凹凸模様が形成されている。尚、凹溝２の幅寸法（長手方向と直交する方向の寸法）は３〜５０ｍｍ、凹溝２の深さ寸法は２〜１５ｍｍ、隣り合う凹溝２、２の間隔は５〜５０ｍｍとすることができるが、これに限定されるものではない。
【００１５】
凹溝２の溝幅の寸法は長手方向の全長にわたって一定ではなく、部分的に拡縮されている。この場合、各凹溝２において、溝幅が最も狭い狭幅部２ａと、溝幅が最も広い広幅部２ｂと、幅狭部２ａと幅広部２ｂとの間の溝幅に形成された中間溝幅部２ｃとが混在するように形成することができる。幅狭部２ａの溝幅１に対して、中間溝幅部２ｃの溝幅は１．０１〜１．２倍、幅広部２ｂの溝幅は１．０５〜１．５倍となるように形成するのが好ましい。凹溝２の一本あたりの幅狭部２ａと幅広部２ｂと中間溝幅部２ｃの割合は特に限定されず、任意に設定することができる。なお、本実施例においては、３段階に溝幅を変化された建築板を示したが、これに限定されること無く、２段階以上であればよいものである。また、凹凸模様は凸条３が基板１の長手方向の全長にわたって連続する、所謂ボーダー調の凹凸模様に形成されている凹凸模様を示したが、図４に示すように凹溝２の溝幅が異なる境界部において凸条３の短手方向と略平行に溝部６を設けることによって、凹溝２と溝部６とで区切られる複数のブロック状の凸条３が連続するような凹凸模様に形成されていてもよいものである。
【００１６】
基板１の上記凹凸模様が形成されて表面には細線４が形成されている。細線４は凹溝２の長手方向に略連続するように形成されている。従って、細線４は直線であってもよいし、破線であってもよい。また、細線４は凹溝２の底面に設けることができる。凹溝２の側面が斜面で形成されている場合は、その斜面にも細線４を形成するのが好ましい。細線４は少なくとも基板１の一方の長手端部１ａに沿って形成された凹溝２に形成することができるが、それ以外の凹溝２にも細線４を形成しても良い。また、一本の凹溝２に対して複数本の細線４を形成しても良い。この場合、少なくとも基板１の一方の長手端部１ａに沿って形成された凹溝２には、複数本の細線４を形成することが好ましい。また、細線４は凸条３の表面にも形成することができる。従って、複数本の細線４を基板１の表面全体にわたって設けることができる。これにより、隣接する建築板Ａ、Ａの突き合わせ部分Ｔと細線４とが区別しにくくなる。
【００１７】
細線４の太さ、隣り合う細線４、４の間隔、細線４の色彩、細線４の連続性（直線か破線か）などの形態は、任意に設定することができる。細線４の太さ（幅寸法）は、例えば、０．１〜５ｍｍ、好ましくは０．３〜３ｍｍに設定することができる。隣り合う細線４，４の間隔は、例えば、０〜２０ｍｍ、好ましくは０．２〜５ｍｍに設定することができる。細線４の色彩としては、突き合わせ部分Ｔと細線４とを区別しにくくするために、少なくとも一本以上に、黒灰色などの濃暗色を選択することが好ましい。また、細線４を破線で形成する場合、ドットの間隔は、例えば、０．１〜５ｍｍ、好ましくは０．３〜１ｍｍに設定することができる。
【００１８】
一枚の建築板Ａに形成される複数本の細線４は多種多様な形態を採用することができる。つまり、細線４毎に太さや色彩を異ならせることもできるし、隣り合う細線４，４の間隔を部分的に広くしたり狭くしたりすることもできる。このように細線４の太さと、隣り合う細線４，４の間隔と、細線４の色彩のうちの少なくとも一つが不均一に形成されていることにより、隣接する建築板Ａ、Ａの突き合わせ部分がより目立たないようにすることができる。但し、各細線４の太さは長手方向の全長にわたって略一定幅で形成されている。これにより、隣接する建築板Ａ、Ａの突き合わせ部分がより目立たないようにすることができる。
【００１９】
また、細線４の形態を容易に作成したり変更したりすることができるように、細線４はインクジェットプリンタで印刷して形成するのが好ましい。この場合、凸版や凹版などの印刷版を用いて印刷する場合に比べて、色変えや柄変えなどを容易に行うことができる。細線４をインクジェットプリンタで印刷する場合は、細線４の形態のデータをコンピュータなどの制御手段に入力し、このデータに基いて制御手段でインクジェットプリンタを制御して細線４を印刷することができる。
【００２０】
そして、図１に示すように、基板１の長手端部１ａと他の基板１の長手端部１ｂが隣接するようにして上記の建築板Ａと他の建築板Ａとを配置し、隣接する長手端部１ａ、１ｂ同士を突き合わせた場合には、突き合わせにより形成される建築板Ａ、Ａの境目（目地）と凹溝２の底面の長手端縁部（隣接する凹溝２と凸条３との境界線）５と細線４とが区別しにくくなる。従って、隣接する建築板Ａ、Ａの突き合わせ部分Ｔが凹溝２の長手端縁部５と細線４により目立ちにくくなって、複数枚の建築板Ａを並設して形成される建物の外観が損なわれにくくすることができる。なお、本実施例においては、上下に位置する建築板Ａ、Ａどうしの突き合わせ部分Ｔについて説明してきたが、これに限定されることは無く、例えば、上下端面または左右端面に形成される実部により相決り接合される接合部分（突き合わせ部分）においても同様の効果を有するものである。
【００２１】
図３に、隣接する建築板Ａ、Ａの突き合わせ部分の一例を写真で示す。このように隣接する建築板Ａ、Ａの突き合わせ部分は明確に視認することができないことが判る。尚、図３の建築板Ａはインクジェット印刷により、その表面の意匠が割木調に形成されている。すなわち、割木調は、ナタやタガネなどでラフに割くことで生まれる自然な割れ方や風合いやハンドメイド感の雰囲気を活かした木を積み上げたイメージである。木からとった造形と、木の微妙な雰囲気や色合いを活かした印刷絵柄が重なることで、よりナチュラルな質感のある仕上がりとなる。
【符号の説明】
【００２２】
１  基板
１ａ  長手端部
２  凹溝
４  細線
【図１】
0005882781.tif 000002
【図２】
0005882781.tif 000003
【図４】
0005882781.tif 000004
【図３】
0005882781.tif 000005